(57)【要約】【課題】落下等による外部からの衝撃や圧力から内部の部品を保護することができるとともに、内部の部品の着脱を容易に行うことができる表示装置用筐体を提供する。【解決手段】下カバー２００の表面に凹状の第一嵌合部，及び第二嵌合部が設けられている。第一嵌合部にディスプレイモジュール１０が嵌合されることにより、ディスプレイモジュール１０が下カバー２００に固定される。また、第二嵌合部に基板モジュール２０が嵌合されることにより、基板モジュール２０が下カバー２００に固定される。これにより、ディスプレイモジュール１０、及び基板モジュール２０の取り外しを容易に行うことができる。また、ディスプレイモジュール１０及び基板モジュール２０と、表示装置用筐体２とを直接に固定するため、表示装置用筐体２にモジュールを固定するための部品を使用しなくて済み、表示装置１の軽量化が可能となる。【選択図】図５
2010054900.tif 000002
【特許請求の範囲】
【請求項１】
画像を表示する表示部を有した表示ユニットの表示面側に着装され、前記表示部の周縁を覆い且つ可撓性を有する第一カバーと、
前記表示ユニットを挟んで前記第一カバーと対向して配置され、前記表示ユニットを裏面側から覆い且つ可撓性を有する第二カバーと、
前記第一カバーの外周部と前記第二カバーの外周部とを固定する外周固定手段と、
前記第一カバーの内面、又は前記第二カバーの内面の少なくとも一方に形成され、前記表示ユニットとモジュールである操作ユニットとを収納する凹部と
を備えたことを特徴とする表示装置用筐体。
【請求項２】
前記表示部の周縁と、当該周縁と当接する前記第一カバーの当接面とを固定する第一固定手段を備えたことを特徴とする請求項１に記載の表示装置用筐体。
【請求項３】
前記凹部の外周部には、前記第一カバーと前記第二カバーとを固定する第二固定手段を備えたことを特徴とする請求項１又は２に記載の表示装置用筐体。
【請求項４】
前記第一固定手段は、磁性部材又は面ファスナを使用したものであることを特徴とする請求項２に記載の表示装置用筐体。
【請求項５】
前記第二固定手段は、磁性部材又は面ファスナを使用したものであることを特徴とする請求項３に記載の表示装置用筐体。
【請求項６】
前記凹部は、少なくとも一対の対向する側面が深さ方向に向かうに従って外方に傾斜するテーパ状に形成されていることを特徴とする請求項１乃至５のいずれかに記載の表示装置用筐体。
【請求項７】
前記外周固定手段は、ファスナ又はホックであることを特徴とする請求項１乃至６のいずれかに記載の表示装置用筐体。
【請求項８】
前記外周固定手段は、前記第一カバーから凸設された第一リブと、前記第二カバーから凸設された第二リブとから構成され、
前記第一リブと前記第二リブとが係合されることにより、前記第一カバーの外周部と、前記第二カバー側の外周部とが固定されることを特徴とする請求項１乃至６のいずれかに記載の表示装置用筐体。
【発明の詳細な説明】
【技術分野】
【０００１】
本発明は、表示装置用筐体に関するものであり、詳細には、落下等による外部からの衝撃や圧力から内部の部品を保護することができるとともに、内部の部品の着脱を容易に行うことができる表示装置用筐体に関するものである。
【背景技術】
【０００２】
従来、金属フレームを使用し、外部からの衝撃による金属フレーム内部の電子機器の破損を防止する液晶表示装置が知られている（例えば、特許文献１参照）。この特許文献１に記載の液晶表示装置では、金属フレームと金属フレーム内部の電子機器との間に挟み込まれたダミーゴムにより外部からの衝撃を吸収することができる。
【０００３】
また、装置を大型化させることなく、外部からの衝撃等による装置の破損を防止するとともに、装置内部を確実に保護することができる電子部品の放熱装置が知られている（例えば、特許文献２参照）。この特許文献２に記載の放熱装置では、発熱電子部品およびそれが設けられた回路基板が、筐体にて覆われる。この筐体は、放熱性を有するウレタン樹脂やエポキシ樹脂で形成されている。さらに、筐体内部に樹脂が充填されているので、落下等による外部からの衝撃や圧力が装置に加わったとしても、そのような衝撃等を樹脂にて確実に吸収することができる。そして、装置内部の発熱電子部品および回路基板を確実に保護することができる。
【特許文献１】特開２００１−１１７０７７号公報
【特許文献２】特開２００４−１６５２５１号公報
【発明の開示】
【発明が解決しようとする課題】
【０００４】
しかしながら、特許文献１に記載の発明では、落下等による外部からの衝撃や圧力が加わった場合、金属フレームに傷やへこみが生じる可能性があるという問題点があった。また、特許文献２に記載の発明の電子部品の放熱装置では、筐体内部に樹脂が充填されるため、部品の取り外しに手間がかかるという問題点があった。
【０００５】
そこで、本発明は、上述した問題を解決するためになされたものであり、落下等による外部からの衝撃や圧力から内部の部品を保護することができるとともに、内部の部品の着脱を容易に行うことができる表示装置用筐体を提供することを目的とする。
【課題を解決するための手段】
【０００６】
上記目的を達成するために、請求項１に係る発明の表示装置用筐体は、画像を表示する表示部を有した表示ユニットの表示面側に着装され、前記表示部の周縁を覆い且つ可撓性を有する第一カバーと、前記表示ユニットを挟んで前記第一カバーと対向して配置され、前記表示ユニットを裏面側から覆い且つ可撓性を有する第二カバーと、前記第一カバーの外周部と前記第二カバーの外周部とを固定する外周固定手段と、前記第一カバーの内面、又は前記第二カバーの内面の少なくとも一方に形成され、前記表示ユニットとモジュールである操作ユニットとを収納する凹部とを備えている。
【０００７】
また、本発明の請求項２に係る表示装置用筐体は、請求項１に記載の発明の構成に加え、前記表示部の周縁と、当該周縁と当接する前記第一カバーの当接面とを固定する第一固定手段を備えている。
【０００８】
また、本発明の請求項３に係る表示装置用筐体は、請求項１又は２に記載の発明の構成に加え、前記凹部の外周部には、前記第一カバーと前記第二カバーとを固定する第二固定手段を備えている。
【０００９】
また、本発明の請求項４に係る表示装置用筐体は、請求項２に記載の発明の構成に加え、前記第一定手段は、磁性部材又は面ファスナを使用したものであることを特徴とする。
【００１０】
また、本発明の請求項５に係る表示装置用筐体は、請求項３に記載の発明の構成に加え、前記第二固定手段は、磁性部材又は面ファスナを使用したものであることを特徴とする。
【００１１】
また、本発明の請求項６に係る表示装置用筐体は、請求項１乃至５のいずれかに記載の発明の構成に加え、前記凹部は、少なくとも一対の対向する側面が深さ方向に向かうに従って外方に傾斜するテーパ状に形成されていることを特徴とする。
【００１２】
また、本発明の請求項７に係る表示装置用筐体は、請求項１乃至６のいずれかに記載の発明の構成に加え、前記外周固定手段は、ファスナ又はホックであることを特徴とする。
【００１３】
また、本発明の請求項８に係る表示装置用筐体は、請求項１乃至６のいずれかに記載の発明の構成に加え、前記外周固定手段は、前記第一カバーから凸設された第一リブと、前記第二カバーから凸設された第二リブとから構成され、前記第一リブと前記第二リブとが係合されることにより、前記第一カバーの外周部と、前記第二カバー側の外周部とが固定されることを特徴とする。
【発明の効果】
【００１４】
本発明の請求項１に係る表示装置用筐体では、画像を表示する表示ユニットの表示面側に装着される第一カバー、又は当該第一カバーと対向した位置に配置された第二カバーの少なくとも一方には、表示ユニットと操作ユニット（以下、これらのユニットを称して「モジュール」という。）を収納する凹部が設けられている。そして、モジュールを凹部に嵌合させることにより、モジュールは、表示装置用筐体に固定される。これにより、モジュールの取り外しを容易に行うことができる。また、内部にモジュールを直接、表示装置用筐体に固定するため、表示装置用筐体にモジュールを固定するための部品が不要となる。これにより、表示装置用筐体の部品の点数を減らすことができる。その結果、表示装置の軽量化が可能となる。また、外周固定手段で第一カバーと、第二カバーが固定されているため、落下時の勢いで内部のモジュールが外部に放出されることを防ぐことができる。
【００１５】
また、本発明の請求項２に係る表示装置用筐体では、請求項１に記載の発明の効果に加え、第一固定手段により、表示ユニットの表示部の周縁と、表示部の周縁と当接する第一カバーの当接面とが固定される。これにより、第一カバーが表示ユニットの表示部に固定され、表示ユニットから第一カバーが離れてしまうことを防止できる。
【００１６】
また、本発明の請求項３に係る表示装置用筐体では、請求項１又は２に記載の発明の効果に加え、凹部の外周部には、第二固定手段が備えられ、第一カバーと第二カバーとが固定される。これにより、第一カバーと第二カバーに挟まれた内部のモジュールが確実に固定される。
【００１７】
また、本発明の請求項４に係る表示装置用筐体では、請求項２に記載の発明の効果に加え、第一固定手段には、磁性部材又は面ファスナが使用されている。これにより、第一カバーが表示ユニットの表示部の周縁に固定され、表示ユニットから第一カバーが離れてしまうことを防止できる。
【００１８】
また、本発明の請求項５に係る表示装置用筐体では、請求項３に記載の発明の効果に加え、第二固定手段には、磁性部材又は面ファスナが使用されている。これにより、第一カバーと第二カバーとに隙間が形成されることを防止できる。その結果、第一カバーと第二カバーが確実に固定されるとともに、容易に着脱可能となる。
【００１９】
また、本発明の請求項６に係る表示装置用筐体では、請求項１乃至５のいずれかに記載の発明の効果に加え、凹部の少なくとも一対の対向する側面は、深さ方向に向かうに従って外方に傾斜するテーパ状に形成されている。これにより、内部に装着されるモジュールは、より強く凹部に嵌合される。その結果、不用意にモジュールが表示装置用筐体から外れてしまうことを防止することが可能となる。
【００２０】
また、本発明の請求項７に係る表示装置用筐体では、請求項１乃至６のいずれかに記載の発明の効果に加え、外周固定手段には、ファスナ又はホックが使用され、第一カバーと、第二カバーが固定されているため、内部のモジュールが容易に着脱可能となる。
【００２１】
また、本発明の請求項８に係る表示装置用筐体では、請求項１乃至６のいずれかに記載の発明の効果に加え、外周固定手段は、第一カバーから凸設された第一リブと、第二カバーから凸設された第二リブとから構成され、第一リブと第二リブが係合されることにより、前記第一カバーの外周部と、前記第二カバー側の外周部とが固定される。これにより、別途部品を設けることなく、第一カバーと第二カバーとを固定することができる。
【発明を実施するための最良の形態】
【００２２】
以下、本発明の一実施の形態である表示装置用筐体２について、図面を参照して説明する。はじめに、表示装置用筐体２を含む表示装置１の物理的構成について図１〜図４を参照して説明する。図１は、表示装置１の斜視図である。図２は、表示装置１の平面図である。図３は、表示装置１の左側面図である。図４は、表示装置１の正面図である。ここで、図２における紙面手前側を表示装置１及び表示装置用筐体２の「表側」、紙面奥側を「裏側」、紙面左側を「左側」、紙面右側を「右側」、紙面下側を「下側」、紙面上側を「上側」とする。
【００２３】
図１〜図４に示すように、表示装置１は、略直方体状に形成されている。表示装置１の表面の中央より上側寄りには、平面視長方形状の表示部１１が設けられている。この表示部１１は、電子書籍などの情報を表示する画面であり、表側より可視可能となっている。
【００２４】
また、図１〜図３に示すように、表示装置１の表面の下側には、基板モジュール２０（図５参照）を収納するために平面視長方形状で凸状に膨出した凸部１２０が形成されている。そして、この凸部１２０の表面には、平面視円状の操作ボタン２１が複数左右方向に配設されている。この操作ボタン２１は、表示装置１への情報の入力や選択を行う為のボタンであり、表示装置１の表側から操作ボタン２１を操作することが可能となっている。なお、操作ボタン２１の表面と、凸部１２０の表面とは略同一の高さとなっており、表示装置１が落下等により外部から衝撃を受けた場合に、操作ボタン２１に傷等がつかないようになっている。なお、図１，図２及び図４に示すように、表示装置１の端面には本発明の要部であり、表示装置１を構成する表示装置用筐体２（図５参照）を着脱させるためのスライダ５１，５２を備えたファスナ５０が設けられている。このファスナ５０についての詳細は後述する。
【００２５】
次に、図５を参照して、表示装置１の内部の物理的構成について説明する。図５は、上カバー１００が開放された状態における表示装置１の斜視図である。図５に示すように、表示装置１は、ディスプレイモジュール１０、基板モジュール２０、及び表示装置用筐体２から構成されている。ディスプレイモジュール１０は、表面に設けられた表示部１１に種々の画像、文字等を表示させることが可能な板状のモジュールである。表示部１１としては、周知のマイクロカプセル、液晶、ＰＤＰ（Ｐｌａｓｍａ  Ｄｉｓｐｌａｙ  Ｐａｎｅｌ）、有機ＥＬ（ＥｌｅｃｔｒｏＬｕｍｉｎｅｓｃｅｎｃｅ）素子等が使用可能である。基板モジュール２０は、略直方体状に形成され、情報の入力や選択をする操作ボタン２１を表面に複数備えている。また、フラットケーブル（図示外）を介してディスプレイモジュール１０と接続されている。そして、操作ボタン２１により操作された情報をディスプレイモジュール１０に対して送信することにより、所望情報をディスプレイモジュール１０の表示部１１に表示させることが可能である。なお、図示しないが、表示装置１は、内部に収納する他のモジュールとして、バッテリ等も備えていてもよい。
【００２６】
次に、図５及び図６を参照して、表示装置１を構成する表示装置用筐体２の物理的構成について説明する。図６は、上カバー１００が開放された状態における表示装置用筐体２の斜視図である。
【００２７】
図５及び図６に示すように、表示装置用筐体２は、ディスプレイモジュール１０と基板モジュール２０（図５参照）（以下、これらを総称して「モジュール」という。）を表裏方向から覆うための上カバー１００と下カバー２００とから構成されている。上カバー１００は、平面視長方形状に形成されている。そして、表示装置用筐体２の内部に装着されるモジュールの表側を覆うために設けられている。下カバー２００は、平面視長方形状に形成されている。そして、上カバー１００と対向して配置され、表示装置用筐体２の内部に装着されるモジュールの裏側を覆うために設けられている。また、上カバー１００と下カバー２００とは、双方の上端部分において接続している。そして、その接続部分を曲折させることにより、モジュールが表裏方向から挟持される。上カバー１００及び下カバー２００は、十分に可撓性を有するウレタンゴムにより形成さている。これにより、外部からの衝撃や圧力を吸収し、内部に収納されるモジュールを保護する役割を果たしている。
【００２８】
また、上カバー１００及び下カバー２００における接続部分を除いた外周部には、ファスナ５０の係合部である第一咬合子５３，第二咬合子５４（図７，図８参照）が設けられている。そして、接続部分を曲折させ、モジュールが上カバー１００と下カバー２００により挟持された状態で、ファスナ５０により係合されることによりモジュールを保護することが可能となっている。
【００２９】
図６を参照して、下カバー２００の形状の詳細について説明する。下カバー２００の表面には、上下方向中央より上側寄りに、平面視長方形状を有する凹状の第一嵌合部２０１が設けられている。また、第一嵌合部２０１の下方には平面視長方形状を有する凹状の第二嵌合部２０２が設けられている。なお、第一嵌合部２０１、及び第二嵌合部２０２の側壁は、裏面に対して垂直方向に形成されている。
【００３０】
そして、図５に示すように、ディスプレイモジュール１０は、表示部１１を表側に向けた状態で第一嵌合部２０１に嵌合される。これにより、ディスプレイモジュール１０は下カバー２００に固定される。また、基板モジュール２０は、操作ボタン２１を表側に向けた状態で裏側が第二嵌合部２０２に嵌合される。これにより、基板モジュール２０は下カバー２００に固定される。
【００３１】
図５及び図６を参照して、上カバー１００の詳細について説明する。上カバー１００におけるディスプレイモジュール１０が挟持される面には、枠状の段部１１０が形成されている。そして、段部１１０にて包囲される部分には、平面視長方形状の第一開口部１０１が形成されている。第一開口部１０１は、表示装置用筐体２がディスプレイモジュール１０を挟持した状態で、ちょうど表示部１１が面接する部分に形成されている。これにより、ユーザが表示部１１を表側から視認できるようになっている。また、上カバー１００の内部には、中空状の中空部１０５が形成されている。また、段部１１０の裏面（当接面１０６という。）には、磁石６０が取り付けられている。
【００３２】
また、表示装置用筐体２がモジュールを挟持した状態において、上カバー１００における基板モジュール２０と面接する部分には上述した凸部１２０が設けられている。その内部には、凹部１０３が形成されている。そして、凹部１０３の底面には、平面視円状に開口した第二開口部１０４が複数設けられている。
【００３３】
そして、図５に示すように、下カバー２００にモジュールを嵌合させ、接続部分を曲折させて上カバー１００をモジュールの表側から覆うことにより、表示装置用筐体２は図１に示す状態となる。この状態で、当接面１０６がディスプレイモジュール１０の表示部１１の周縁に当接する。そして、ディスプレイモジュール１０の表示部１１の周端部を除いた部分が中空部１０５に嵌り込み、第一開口部１０１を介してディスプレイモジュール１０の表示部１１が表側より視認可能となる。また、基板モジュール２０の表側が、凹部１０３に嵌り込む。そして、第二開口部１０４を介してユーザによる操作ボタン２１の操作が可能となる。
【００３４】
次に、図１、図７及び図８を参照して、ファスナ５０について説明する。図７は、ファスナ５０の周辺の部分拡大図である。図８は、表示装置１の図２に示すＩ−Ｉ線における矢視方向断面図である。
【００３５】
図７に示すように、ファスナ５０は、上カバー１００の外周部に装着される第一咬合子５３，下カバー２００の外周部に装着される第二咬合子５４，及びファスナ５０を開閉する時に摺動させるスライダ５１，５２より構成されている。
【００３６】
上述したように、第一咬合子５３は上カバー１００における接続部分の一部を除く外周部に設けられている。また、第二咬合子５４は下カバー２００における接続部分の一部を除く外周部に設けられている。また、図７及び図８に示すように、スライダ５１，５２は、第一咬合子５３及び第二咬合子５４を挟み込むようにして、表示装置用筐体２の外周部に設けられている。そして、スライダ５１，５２を外周部に沿って摺動させることにより、第一咬合子５３と第二咬合子５４とを噛み合せることが可能である。これにより、表示装置用筐体２の開閉が可能となっている。例えば、スライダ５１を平面視反時計周りに表示装置用筐体２の外周部に沿って摺動させることにより、第一咬合子５３と第二咬合子５４とを噛み合せ、上カバー１００の外周部と下カバー２００の外周部とを接続させることが可能となる。また、逆に、スライダ５１を平面視時計周りに表示装置用筐体２の外周部に沿って摺動させることにより、第一咬合子５３と第二咬合子５４との噛み合せを外し、上カバー１００の外周部と下カバー２００の外周部とを離間させることが可能となる。
【００３７】
また、スライダ５２を平面視時計周りに表示装置用筐体２の外周部に沿って摺動させることにより、第一咬合子５３と第二咬合子５４とを噛み合せ、上カバー１００の外周部と下カバー２００の外周部とを接続させることが可能となる。また、逆に、スライダ５１を平面視反時計周りに表示装置用筐体２の外周部に沿って摺動させることにより、第一咬合子５３と第二咬合子５４との噛み合せを外し、上カバー１００の外周部と下カバー２００の外周部とを離間させることが可能となる。そして、接続部分を曲折させたり、伸長させたりすることにより、表示装置用筐体２を折り畳み式に開閉することが可能となっている。
【００３８】
次に、図８を参照して、ディスプレイモジュール１０と上カバー１００との固定方法について説明する。前述したように、上カバー１００における当接面１０６には、磁石６０が設けられている。また、ディスプレイモジュール１０は、画像を形成するための各種処理を実行する制御機器が格納された表示装置本体１２、当該表示装置本体１２の表面に設けられた表示部１１、及び表示部１１以外の部分を覆うように設けられた磁性体である金属製のフレーム１５から構成されている。そして、図８に示すように、ディスプレイモジュール１０における表示部１１と反対側の部分が、下カバー２００の第二嵌合部２０２に嵌合される。また、上カバー１００と下カバー２００とがファスナ５０により接続された状態では、ディスプレイモジュール１０のフレーム１５が、当接面１０６及び磁石６０に当接する。そして、磁石６０の磁力により磁性体のフレーム１５が吸着される。これにより、上カバー１００の第一開口部１０１とディスプレイモジュール１０とが固定された状態となる。
【００３９】
以上説明したように、表示装置用筐体２は、上カバー１００と下カバー２００とから構成されている。そして、下カバー２００の上面には、凹状の第一嵌合部２０１，及び第二嵌合部２０２が設けられている。そして、第一嵌合部２０１にディスプレイモジュール１０が嵌合されることにより、ディスプレイモジュール１０が下カバー２００に固定される。また、第二嵌合部２０２に基板モジュール２０が嵌合されることにより、基板モジュール２０が下カバー２００に固定される。これにより、モジュールの取り外しを容易に行うことができる。また、表示装置用筐体２におけるモジュールの配置位置を固定することが可能であるとともに、表示装置用筐体２にモジュールを固定するための部品が不要となるので、表示装置用筐体２の部品の点数を減らすことができ、表示装置１の軽量化が可能となる。
【００４０】
また、上カバー１００の外周部と、下カバー２００の外周部とに設けられたファスナ５０により、上カバー１００と下カバー２００とを接続することが可能となる。これにより、表示装置１の落下時の勢いで、内部に装着されるモジュールが表示装置用筐体２の外部に放出されることを防ぐことができる。また、上カバー１００と下カバー２００の材質には、軟体の樹脂材であるウレタンゴムが使用されているので、外部からの衝撃や圧力を吸収し、内部に収納されるモジュールを保護することができる。
【００４１】
また、上カバー１００の段部１１０の当接面１０６には、第一開口部１０１の周囲を取り囲むように磁石６０が設けられている。そして、ディスプレイモジュール１０の磁性体である金属製のフレーム１５が磁石６０に吸着され、上カバー１００にディスプレイモジュール１０が固定された状態となる。これにより、上カバー１００の第一開口部１０１付近において、ディスプレイモジュール１０が上カバー１００から離れてしまうことを防止できる。このため、ディスプレイモジュール１０が上カバー１００に確実に固定されるとともに、見栄えが良くなる。
【００４２】
尚、本発明の表示装置用筐体２は、上述した実施の形態に限定されるものではなく、本発明の要旨を脱しない範囲内において種々変更を加え得ることは勿論である。上カバー１００とディスプレイモジュール１０とを固定する手段として磁石６０が使用されているが、これに限定されない。例えば、上カバー１００の当接面１０６、及びディスプレイモジュール１０のフレーム１５に磁石６０の代わりに面ファスナを取り付け、固定するようにしてもよい。また、磁石６０の代わりにホック等を使用して固定するようにしてもよい。
【００４３】
また、上述した実施の形態では、下カバー２００に設けられた第一嵌合部２０１の内側の側面は表面に対して垂直な面となっているが、第一嵌合部２０１の深さ方向に向かうに従って外方に傾斜するテーパ形状に形成するようにしてもよい。
【００４４】
次に、第一嵌合部２０１の内側の側面の形状を変形した第一変形例について説明する。図９を参照して、第一変形例における表示装置用筐体３の物理的構成について説明する。図９は、第一変形例の表示装置１の図２に示すＩＩ−ＩＩ線（図２）における矢視方向断面図である。なお、上カバー１００の中空部１０５の側面の形状、下カバー２００の第一嵌合部２０１の側面の形状、及びディスプレイモジュール１０のフレーム１５の形状以外は上述した実施の形態と同様のため、その説明を省略する。また、図９に示すように、表示装置１の左側と右側は同一の形状を有している。
【００４５】
図９に示すように、第一変形例における表示装置用筐体３は、ディスプレイモジュール３０の表面側を覆う上カバー３００，ディスプレイモジュール３０の裏面側を覆う下カバー４００を少なくとも含む構成を有している。また、表示装置用筐体３の内部に収納されるディスプレイモジュール３０は、画像を形成するための各種処理を実行する制御機器が格納された表示装置本体１２、当該表示装置本体１２の表面に設けられた表示部１１、及び表示部１１以外の部分を覆うように設けられた磁性体である金属製のフレーム１６から構成されている。
【００４６】
ここで、第一嵌合部２０１の外周部４３０の内側の側面４３１は、第一嵌合部２０１の深さ方向に向かうに従って外方に傾斜するテーパ状に形成されている。また、上カバー３００の外周部３３０の内側の側面３３１は、表側から裏側の方向に向かうに従って外方に傾斜するテーパ状に形成されている。そして、上カバー３００に設けられた側面３３１のテーパの傾斜角度と、下カバー４００に設けられた側面４３１のテーパの傾斜角度とは、同一角度であり、図９のように、上カバー３００と下カバー４００とをファスナ５０により接続した状態では、上カバー３００の側面３３１と下カバー４００の側面４３１とが同一平面を形成するように側面３３１のテーパと側面４３１のテーパとが配置されている。
【００４７】
また、表示装置用筐体３の内部に収納されるディスプレイモジュール３０のフレーム１６の側壁１８は、ディスプレイモジュール３０における表示部１１側から裏側の方向に向かうに従って外方に傾斜するテーパ状に形成されている。なお、この側壁１８の傾斜角度は、上カバー３００の外周部３３０の側面３３１，及び下カバー４００の外周部４３０の側面４３１と同一の傾斜角度となっている。
【００４８】
以上のように、上述した第一変形例の表示装置１において、第一嵌合部２０１の側面４３１は、深さ方向に向かうに従って外方に傾斜するテーパ状に形成されることで、内部に収納されるディスプレイモジュール３０は、より強く第一嵌合部２０１に嵌合される。その結果、不用意にディスプレイモジュール３０が表示装置用筐体３から外れてしまうことを防止することが可能となる。
【００４９】
なお、第一嵌合部２０１の左右の内側の側面４３１に対して、外方に傾斜するテーパ形状を形成するようにしているが、第一嵌合部２０１の前後の内側の側面に対しても同様に深さ方向に向かうに従って外方に傾斜するテーパ状にしてもよい。また、第二嵌合部２０２の内側の側面に対しても同様にテーパ形状を形成し、基板モジュール２０を固定するようにしてもよい。
【００５０】
また、上述した実施の形態では、表示装置用筐体２の上カバー１００と下カバー２００とを固定する手段として、上カバー１００の外周部と下カバー２００の外周部とを固定する部分にファスナ５０を取り付け、上カバー１００と下カバー２００とを固定しているが、固定する手段としてはこれに限定されない。例えば、上カバー１００，及び下カバー２００の外周部をリブ状に形成し、互いに係合して固定してもよい。
【００５１】
次に、上カバー１００，及び下カバー２００の外周部の形状を変形した第二変形例について説明する。図１０を参照して、第二変形例における表示装置用筐体４の物理的構成について説明する。図１０は、第二変形例の表示装置１の図２に示すＩＩ−ＩＩ線における矢視方向断面図である。なお、上カバー１００と下カバー２００とを固定する外周部以外は、上述した実施の形態と同様の為、説明を省略する。また、図１０に示すように、表示装置１の左側と右側は同一の形状を有している。
【００５２】
図１０に示すように、第二変形例における表示装置用筐体４は、ディスプレイモジュール１０の表側を覆う上カバー５００，及びディスプレイモジュール１０の裏側を覆う下カバー６００を少なくとも含む構成を有している。
【００５３】
ここで、上カバー５００の外周部５３０の左右方向中央から内側部分には、表側から裏側方向に凸設された第一リブ５４０が設けられている。この第一リブ５４０の外側の側面５４１は、表側から裏側方向に向かうに従って外方に傾斜するテーパ状に形成されている。また、下カバー６００の外周部６３０の左右方向中央から外側部分には、裏側から表側方向に凸設された第二リブ６４０が設けられている。この第二リブ６４０の内側の側面６４１は、裏側から表側方向に向かうに従って内方に傾斜するテーパ状に形成されている。なお、この第一リブ５４０の外側の側面５４１の傾斜角度と、第二リブ６４０の内側の側面６４１の傾斜角度は、同一の傾斜角度になるように形成されている。そして、図１０に示すように、上カバー５００の第一リブ５４０と下カバー６００の第二リブ６４０とが係合されることにより、上カバー５００と下カバー６００とを固定することが可能となる。
【００５４】
以上のように、上述した第二変形例の表示装置用筐体４では、上カバー５００の外周部５３０に表側から裏側方向に凸設された第一リブ５４０と、下カバー６００の外周部６３０から裏側から表側方向に凸設された第二リブ６４０とが係合されることにより、上カバー５００の外周部５３０と、下カバー６００側の外周部６３０とが固定される。これにより、別途部品を設けることなく、上カバー５００と下カバー６００とを固定することが可能となる。
【００５５】
また、上述した実施の形態では、表示装置用筐体２の上カバー１００と下カバー２００とを固定する手段として、上カバー１００の外周部と下カバー２００の外周部にファスナ５０を取り付け、上カバー１００と下カバー２００とを固定しているが、固定する手段としてはこれに限定されない。例えば、第一嵌合部２０１の外周部、又は第二嵌合部２０２の外周部に凹状の係合部を設けて上カバー１００と下カバー２００とを係合させることにより、上カバー１００と下カバー２００とを固定させてもよい。
【００５６】
次に、第一嵌合部２０１の外周部の形状を変形した第三変形例について説明する。図１１を参照して、第三変形例における表示装置用筐体５の物理的構成について説明する。図１１は、第三変形例の表示装置１の図２に示すＩ−Ｉ線における矢視方向断面図である。なお、上カバー１００と下カバー２００とを固定する第一嵌合部２０１の外周部以外は、上述した実施の形態と同様の為、説明を省略する。
【００５７】
図１１に示すように、第三変形例における表示装置用筐体５は、ディスプレイモジュール１０、及び基板モジュール２０の表側を覆う上カバー７００と、ディスプレイモジュール１０、及び基板モジュール２０の裏側を覆う下カバー８００とを少なくとも含む構成を有している。
【００５８】
ここで、上カバー７００の凹部１０３の外周部には、下方に凸設された第一係合部７５０が設けられている。この第一係合部７５０は、その左右の側面が表側から裏側方向に向かうに従って外方に傾斜するテーパ状に形成されている。また、下カバー８００の第二嵌合部２０２の外周部には、凹状に形成された第二係合部８５０が設けられている。この第二係合部８５０の左右の内壁面は、深さ方向に向かうに従って外方に傾斜するテーパ状に形成されている。なお、この第一係合部７５０の側面のテーパの傾斜角度と、第二係合部８５０の内壁面のテーパの傾斜角度は、同一の傾斜角度になるように形成されている。そして、図１１に示すように、第一係合部７５０と、第二係合部８５０とが係合されることにより、上カバー７００と下カバー８００とを固定することが可能となる。
【００５９】
以上のように、上述した第三変形例の表示装置用筐体５では、上カバー７００に設けられた弟一係合部７５０と、下カバー８００に設けられた弟二係合部８５０とが係合されることにより、上カバー７００と下カバー８００が固定される。これにより、上カバー７００と下カバー８００とが確実に固定され、表示装置１が落下した際に、表示装置用筐体５の内部のモジュールが外部に放出されることを防ぐことができる。
【００６０】
また、上述した第三変形例では、上カバー７００と下カバー８００とを固定する手段として、凹状の係合部を使用しているが、磁石等の磁性部材を使用して上カバー７００と下カバー８００とを固定するようにしてもよい。また、磁石等の磁性部材の代わりに面ファスナを使用してもよい。
【００６１】
なお、上述した実施の形態、及び変形例における上カバー１００，３００，５００，７００が「第一カバー」に該当し、下カバー２００，４００，６００，８００が「第二カバー」に該当する。また、ディスプレイモジュール１０，３０が「表示ユニット」に該当し、基板モジュール２０が「操作ユニット」に該当する。また、ファスナ５０が「外周固定手段」に該当し、磁石６０が、「磁性部材」に該当する。また、第一嵌合部２０１及び第二嵌合部２０２が「凹部」に該当する。
【図面の簡単な説明】
【００６２】
【図１】表示装置１の斜視図である。
【図２】表示装置１の平面図である。
【図３】表示装置１の左側面図である。
【図４】表示装置１の正面図である。
【図５】上カバー１００が開放された状態における表示装置１の斜視図である。
【図６】上カバー１００が開放された状態における表示装置用筐体２の斜視図である。
【図７】ファスナ５０の周辺の部分拡大図である。
【図８】表示装置１の図２に示すＩ−Ｉ線における矢視方向断面図である。
【図９】第一変形例の表示装置１の図２に示すＩＩ−ＩＩ線における矢視方向断面図である。
【図１０】第二変形例の表示装置１の図２に示すＩＩ−ＩＩ線における矢視方向断面図である。
【図１１】第三変形例の表示装置１の図２に示すＩ−Ｉ線における矢視方向断面図である。
【符号の説明】
【００６３】
１    表示装置
２，３，４，５    表示装置用筐体
１０，３０    ディスプレイモジュール
１１    表示部
２０    基板モジュール
５０    ファスナ
６０    磁石
１００，３００，５００，７００    上カバー
１０６    当接面
２００，４００，６００，８００    下カバー
２０１    第一嵌合部
２０２    第二嵌合部
５４０    第一リブ
６４０    第二リブ
【図１】
2010054900.tif 000003
【図２】
2010054900.tif 000004
【図３】
2010054900.tif 000005
【図４】
2010054900.tif 000006
【図５】
2010054900.tif 000007
【図６】
2010054900.tif 000008
【図７】
2010054900.tif 000009
【図８】
2010054900.tif 000010
【図９】
2010054900.tif 000011
【図１０】
2010054900.tif 000012
【図１１】
2010054900.tif 000013